(57)【要約】【課題】  パッシブセンサ等の検出手段の検出結果に誤差が生じても、自動壁色補正により自然な色合いを再現することができる投写型映像表示装置を提供する。【解決手段】  白色の投写面におけるＲＧＢ各色の輝度データをデフォルトプリセット値とすると共に、このデフォルトプリセット値と所定の色の投写面におけるＲＧＢ各色の輝度データとの比率を求めて、当該比率のプリセット値を中心とする所定の範囲の比率を予め記憶しておく記憶手段と、通常使用時に用いる投写面のＲＧＢ各色の輝度データをセンサを用いて検出して、前記デフォルトプリセット値と検出されたＲＧＢ各色の輝度データとの比率を求めて、得られた比率から前記記憶手段を参照して当該比率が含まれる範囲の中心の比率のプリセット値を選択して、当該プリセット値を用いて映像信号処理手段のホワイトバランス補正を制御する制御手段を備えた。【選択図】        図２
2007274046.tif 000002
【特許請求の範囲】
【請求項１】
光源からの光を映像信号に基づき変調して投写面に投写することにより映像を表示する投写型映像表示装置において、
前記映像信号のホワイトバランスを補正する映像信号処理手段と、前記投写面のＲＧＢ各色の輝度を検出する検出手段と、白色の投写面におけるＲＧＢ各色の輝度データをデフォルトプリセット値とすると共に、このデフォルトプリセット値と所定の色の投写面におけるＲＧＢ各色の輝度データとの比率を求めて、当該比率のプリセット値を中心とする所定の範囲の比率を予め記憶しておく記憶手段と、通常使用時に用いる投写面のＲＧＢ各色の輝度データを前記検出手段を用いて検出して、前記デフォルトプリセット値と検出されたＲＧＢ各色の輝度データとの比率を求めて、得られた比率から前記記憶手段を参照して当該比率が含まれる範囲の中心の比率のプリセット値を選択して、当該プリセット値を用いて前記映像信号処理手段のホワイトバランス補正を制御する制御手段とを備えたことを特徴とする投写型映像表示装置。
【請求項２】
光源からの光を映像信号に基づき変調して投写面に投写することにより映像を表示する投写型映像表示装置において、
前記映像信号のホワイトバランスを補正する映像信号処理手段と、前記投写面のＲＧＢ各色の輝度を検出する検出手段と、白色の投写面におけるＲＧＢ各色の輝度データをデフォルトプリセット値とすると共に、所定の色の投写面におけるＲＧＢ各色の輝度データのプリセット値を中心とする所定の範囲の輝度データを予め記憶しておく記憶手段と、通常使用時に用いる投写面のＲＧＢ各色の輝度データを前記検出手段を用いて検出して、得られた輝度データから前記記憶手段を参照して当該輝度データが含まれる範囲の中心の輝度データのプリセット値を選択して、前記デフォルトプリセット値と選択された輝度データのプリセット値との比率を求めて、当該比率を用いて前記映像信号処理手段のホワイトバランス補正を制御する制御手段とを備えたことを特徴とする投写型映像表示装置。
【発明の詳細な説明】
【技術分野】
【０００１】
本願発明は、光源からの光を映像信号に基づき変調して投写面に投写することにより映像を表示する液晶プロジェクタ等の投写型映像表示装置に関するものである。
【背景技術】
【０００２】
この種の投写型映像表示装置の機能として自動壁色補正機能がある。これは、ＣＣＤ（Charge Coupled Device）センサやフォトダイオード等のパッシブセンサによって投写面のＲＧＢ各色の輝度データを検出し、工場出荷時の白スクリーンによるデフォルトのプリセット値（ＲＧＢそれぞれ）からの差分を補間することにより、色の付いた壁面等に投映した場合も、自然な色合いを再現するものである。
【０００３】
なお、特許文献１には、カラー画像を壁面等の投射面に投射して画像を表示するプロジェクタにおいて、本来の投射面に投射する原色の混合量を、投射面の色情報を含めた原色の混合により同等の色を再現する原色の混合量に変換することにより、色再現を行なうことを特徴とすると共に、カラーセンサにより壁面等の投射面の分光情報あるいは色情報を測定し、該測定情報を用いることを特徴とするものが開示されている。
【特許文献１】特開２００３−３３３６１１号公報（H04N  9/31、G03B 21/00、H04N  9/64）
【発明の開示】
【発明が解決しようとする課題】
【０００４】
しかしながら、パッシブセンサ等の検出手段は、太陽光や蛍光灯などの外光や電気的なノイズにより誤差が発生する可能性があり、自然な色合いを再現できない場合がある。
【０００５】
なお、上記特許文献１の技術でも、カラーセンサによる測定情報をそのまま用いているので、上記と同様の問題が生じる。
【０００６】
そこで、本願発明はこのような課題を解決するためになされたものであり、パッシブセンサ等の検出手段の検出結果に誤差が生じても、自動壁色補正により自然な色合いを再現することができる投写型映像表示装置を提供することを目的とするものである。
【課題を解決するための手段】
【０００７】
上記のような目的を達成するために、本願の請求項１に係る発明は、光源からの光を映像信号に基づき変調して投写面に投写することにより映像を表示する投写型映像表示装置において、前記映像信号のホワイトバランスを補正する映像信号処理手段と、前記投写面のＲＧＢ各色の輝度を検出する検出手段と、白色の投写面におけるＲＧＢ各色の輝度データをデフォルトプリセット値とすると共に、このデフォルトプリセット値と所定の色の投写面におけるＲＧＢ各色の輝度データとの比率を求めて、当該比率のプリセット値を中心とする所定の範囲の比率を予め記憶しておく記憶手段と、通常使用時に用いる投写面のＲＧＢ各色の輝度データを前記検出手段を用いて検出して、前記デフォルトプリセット値と検出されたＲＧＢ各色の輝度データとの比率を求めて、得られた比率から前記記憶手段を参照して当該比率が含まれる範囲の中心の比率のプリセット値を選択して、当該プリセット値を用いて前記映像信号処理手段のホワイトバランス補正を制御する制御手段とを備えたことを特徴とするものである。
【０００８】
請求項２に係る発明は、光源からの光を映像信号に基づき変調して投写面に投写することにより映像を表示する投写型映像表示装置において、前記映像信号のホワイトバランスを補正する映像信号処理手段と、前記投写面のＲＧＢ各色の輝度を検出する検出手段と、白色の投写面におけるＲＧＢ各色の輝度データをデフォルトプリセット値とすると共に、所定の色の投写面におけるＲＧＢ各色の輝度データのプリセット値を中心とする所定の範囲の輝度データを予め記憶しておく記憶手段と、通常使用時に用いる投写面のＲＧＢ各色の輝度データを前記検出手段を用いて検出して、得られた輝度データから前記記憶手段を参照して当該輝度データが含まれる範囲の中心の輝度データのプリセット値を選択して、前記デフォルトプリセット値と選択された輝度データのプリセット値との比率を求めて、当該比率を用いて前記映像信号処理手段のホワイトバランス補正を制御する制御手段とを備えたことを特徴とするものである。
【発明の効果】
【０００９】
本願の請求項１記載の発明によれば、通常使用時に用いる投写面のＲＧＢ各色の輝度データを前記検出手段を用いて検出して、前記デフォルトプリセット値と検出されたＲＧＢ各色の輝度データとの比率を求めて、得られた比率から前記記憶手段を参照して当該比率が含まれる範囲の中心の比率のプリセット値を選択して、当該プリセット値を用いて前記映像信号処理手段のホワイトバランス補正を制御することにより、パッシブセンサ等の検出手段の検出結果に誤差が生じても、検出結果が含まれる範囲の中心の比率のプリセット値を用いてホワイトバランス補正が行われるので、自動壁色補正により自然な色合いを再現することができる。
【００１０】
請求項２記載の発明によれば、通常使用時に用いる投写面のＲＧＢ各色の輝度データを前記検出手段を用いて検出して、得られた輝度データから前記記憶手段を参照して当該輝度データが含まれる範囲の中心の輝度データのプリセット値を選択して、前記デフォルトプリセット値と選択された輝度データのプリセット値との比率を求めて、当該比率を用いて前記映像信号処理手段のホワイトバランス補正を制御することにより、パッシブセンサ等の検出手段の検出結果に誤差が生じても、検出結果が含まれる範囲の中心の輝度データのプリセット値から前記デフォルトプリセット値との比率を求めてホワイトバランス補正が行われるので、自動壁色補正により自然な色合いを再現することができる。
【発明を実施するための最良の形態】
【００１１】
以下、本願発明の実施形態を図面を参照して詳細に説明する。
【００１２】
図１は、本願発明に係る投写型映像表示装置としての液晶プロジェクタの一実施形態の構成を示すブロック図である。
【００１３】
本実施形態のものは、入力端子１からの入力映像信号をアナログ信号からデジタル信号に変換するＡＤＣ(Analog-to-Digital Converter)２と、ＡＤ変換された映像信号に画角変換やデジタルガンマ補正やホワイトバランス補正等の各種処理を施す映像信号処理回路３と、その出力をデジタル信号からアナログ信号に変換するＤＡＣ(Digital-to-Analog Converter)４と、ＤＡ変換された映像信号によって駆動されて光源５からの光を変調する液晶パネル６と、その出力光を図示しないスクリーンや黒板や壁面等に拡大投写する光学系７と、上記映像信号処理回路３や光源５や液晶パネル６等を制御するマイコン（マイクロコンピュータ）８と、このマイコン８に検出データが入力されるＣＣＤセンサやフォトダイオード等のパッシブセンサ９などから構成されている。ここで、本願発明に係る映像信号処理手段は上記映像信号処理回路３により実現され、記憶手段は上記マイコン８内の図示しない不揮発性メモリにより実現され、制御手段はマイコン８により実現され、検出手段はパッシブセンサ９により実現されている。
【００１４】
以上の構成において、上記パッシブセンサ９からの検出データは輝度で表されており、工場出荷時に白スクリーン（白色の投写面）にＲＧＢの各色を個別に投写する等により、ＲＧＢ各色の輝度データを検出して、デフォルトプリセット値とする。例えば、このデフォルトプリセット値の輝度データＲＧＢが（40，40，40）とする。
【００１５】
また、所定の色の投写面，例えば黒板（グリーン）やライトイエロー，ライトグリーン，ライトブルー，スカイブルー，ライトローズ，ピンクなどの壁面におけるＲＧＢ各色の輝度データを上記と同様に検出して、前記デフォルトプリセット値と検出された所定の色の投写面におけるＲＧＢ各色の輝度データとの比率を求めて、当該比率のプリセット値を中心とする所定の範囲の比率を閾値テーブルとして、前記デフォルトプリセット値と共にマイコン８内の不揮発性メモリに予め記憶しておく。例えば、黒板（グリーン）用の理想的な輝度データＲＧＢを（34，55，34）とすると、前記白スクリーンのデフォルトプリセット値の輝度データＲＧＢ（40，40，40）と黒板（グリーン）用の理想的な輝度データＲＧＢ（34，55，34）との比率のプリセット値は（1.17，0.72，1.17）となり、そのプリセット値（1.17，0.72，1.17）を中心としてそれぞれ前後に例えば0.10の範囲をとれば、この場合における所定の範囲の比率は（1.07，0.62，1.07）から（1.27，0.82，1.27）の範囲となる。
【００１６】
そして、通常使用時に、黒板（グリーン）に投写して、パッシブセンサ９からの輝度データＲＧＢが（35，60，35）となった場合、前記デフォルトプリセット値のＲＧＢ（40，40，40）との比率は（1.14，0.66，1.14）のようになる。パッシブセンサ９からの輝度データに誤差がない場合には、その比率でホワイトバランスＲＧＢをそれぞれ調整すると、自然な色合いになる。しかしながら、パッシブセンサ９からの輝度データに太陽光や蛍光灯などの外光や電気的なノイズにより誤差が発生している場合には、自然な色合いを再現できなくなる。
【００１７】
そこで、本実施形態においては、前述したようにしてマイコン８内の不揮発性メモリに予め記憶してある閾値テーブルを参照して、パッシブセンサ９からの輝度データＲＧＢの前記比率（1.14，0.66，1.14）が前述した所定の範囲の比率（1.07，0.62，1.07）から（1.27，0.82，1.27）の範囲に入る場合は、それらの比率の中心のプリセット値（1.17，0.72，1.17）を映像信号処理回路３のホワイトバランスＲＧＢに設定する。
【００１８】
これにより、パッシブセンサ９の検出結果に太陽光や蛍光灯などの外光や電気的なノイズによる誤差が発生している場合でも、検出結果が含まれる範囲の中心の比率のプリセット値を用いてホワイトバランス補正が行われるので、自動壁色補正により自然な色合いを再現できるようになる。
【００１９】
他の色（ライトイエロー，ライトグリーン，ライトブルー，スカイブルー，ライトローズ，ピンクなど）の壁面等の場合でも、上記と同様な処理で、同様の効果を得ることができる。
【００２０】
図２に示すフローチャートを参照して説明すると、通常使用時、先ず壁面等の投写面にＲＧＢ各色を個別に投射してパッシブセンサ９からＲＧＢ各色の輝度データを取得する（ステップＳ１０１）。
【００２１】
そして、予め設定されている白スクリーン時のデフォルトプリセット値と上記により検出された輝度データとの比率を求める（ステップＳ１０２）。
【００２２】
次に、上記により求められた比率からＲＧＢの比率の閾値テーブルを参照して、該当する範囲の中心値であるプリセット値を選択する（ステップＳ１０３）。
【００２３】
そして、映像信号処理回路３のホワイトバランスに上記により選択されたプリセット値の比率を掛け合わせて、それを設定する（ステップＳ１０４）。
【００２４】
これにより、前述したようにパッシブセンサ９からの出力が環境の要因で誤差を持った場合でも、理想的なプリセット値を設定することで自然な色合いになる。
【００２５】
なお、上記実施形態においては、デフォルトプリセット値と所定の色の投写面におけるＲＧＢ各色の輝度データとの比率を予め求めて、比率のプリセット値としたが、次のようにすることもできる。すなわち、所定の色の投写面におけるＲＧＢ各色の輝度データをプリセット値として、このプリセット値を中心とする所定の範囲の輝度データを閾値テーブルとして予め記憶しておき、通常使用時には、投写面のＲＧＢ各色の輝度データをパッシブセンサ９を用いて検出して、得られた輝度データから前記閾値テーブルを参照して当該輝度データが含まれる範囲の中心の輝度データのプリセット値を選択して、前記デフォルトプリセット値と選択された輝度データのプリセット値との比率を求めて、当該比率を用いて映像信号処理回路３のホワイトバランス補正を制御するようにしても良い。これによれば、パッシブセンサ９の検出結果に誤差が生じても、検出結果が含まれる範囲の中心の輝度データのプリセット値から前記デフォルトプリセット値との比率を求めてホワイトバランス補正が行われるので、前記実施形態と同様、自動壁色補正により自然な色合いを再現することができる。
【００２６】
また、上記実施形態では、投写型映像表示装置として液晶パネルを用いた液晶プロジェクタを示したが、他の映像光生成系を備える投写型映像表示装置においても本願発明を適用することができる。例えば、ＤＬＰ（Digital Light Processing；テキサス・インスツルメンツ（TI）社の登録商標）方式のプロジェクタにおいても本願発明を適用することができる。
【図面の簡単な説明】
【００２７】
【図１】本願発明に係る投写型映像表示装置としての液晶プロジェクタの一実施形態の構成を示すブロック図。
【図２】上記実施形態の動作を示すフローチャート。
【符号の説明】
【００２８】
１  入力端子
２  ＡＤＣ
３  映像信号処理回路
４  ＤＡＣ
５  光源
６  液晶パネル
７  光学系
８  マイコン
９  パッシブセンサ
【図１】
2007274046.tif 000003
【図２】
2007274046.tif 000004